(57)【要約】【課題】構成及び組み立てをより簡略化できる表示装置を提供する。【解決手段】表示装置１０は、光源７５ａからの光が透過するレンズ部及びレンズ部の周囲に位置するフランジ部７１ｂ，７２ｂを含み、Ｚ方向に沿って並べられる第１レンズ７１及び第２レンズ７２と、第１レンズ７１及び第２レンズ７２をＺ方向から挟み込むように並べられ、Ｚ方向から見てフランジ部７１ｂ，７２ｂに重なる位置に形成される一対の保持壁７４ｂ，７４ｃを含むケース７４と、第１レンズ７１のフランジ部７１ｂと第２レンズ７２のフランジ部７２ｂの間に位置し、Ｘ方向に沿ってレンズ部を挟み込むように並べられ、第１レンズ７１及び第２レンズ７２を互いに離間する方向に付勢する一対の板バネ部７６Ｌ，７６Ｒ、及び一対の板バネ部７６Ｌ，７６Ｒと一体で形成され、一対の板バネ部７６Ｌ，７６Ｒを連結する蓋部７６ａを含む板バネ部材７６と、を備える。【選択図】図３
2019174497.tif 000002
【特許請求の範囲】
【請求項１】
光源からの光が透過するレンズ部、及び前記レンズ部の周囲に位置するフランジ部を含み、前記光源からの前記光の光軸方向に沿って並べられる第１及び第２の光学素子と、
前記第１及び第２の光学素子を前記光軸方向から挟み込むように並べられ、前記光軸方向から見て前記フランジ部に重なる位置に形成される一対の保持壁を含み、前記光軸方向に直交する方向に向けて開口する開口部が形成されるケースと、
前記第１の光学素子の前記フランジ部と前記第２の光学素子の前記フランジ部の間に位置し、前記光軸方向に直交する方向に沿って前記レンズ部を挟み込むように並べられ、前記第１及び第２の光学素子を互いに離間する方向に付勢する一対の板バネ部、及び前記一対の板バネ部と一体で形成され、前記一対の板バネ部を連結する連結部を含む板バネ部材と、を備える、
表示装置。
【請求項２】
前記連結部は、前記ケースの前記開口部を塞ぐ蓋部である、
請求項１に記載の表示装置。
【請求項３】
前記表示装置は、前記光源からの前記光が透過するレンズ部、及び前記レンズ部の周囲に位置するフランジ部を含み、前記一対の保持壁の間であって前記第２の光学素子における前記板バネ部と反対側に隣接して位置する第３の光学素子を備え、
前記蓋部には、前記第２の光学素子に対向する位置に前記第２の光学素子が通過可能な孔が形成されている、
請求項２に記載の表示装置。
【請求項４】
前記一対の板バネ部は、それぞれ、前記光軸方向に直交する方向に延びる正弦波状に形成される、
請求項１から３の何れか一項に記載の表示装置。
【発明の詳細な説明】
【技術分野】
【０００１】
本発明は、表示装置に関する。
【背景技術】
【０００２】
従来から、表示光を出射する表示装置が知られている。例えば、特許文献１に記載の表示装置は、光源と、光源からの光が透過するレンズを含む光学素子と、光学素子の長手方向の両端部が嵌まる開口部を有するケース体と、光学素子の長手方向の両端部に装着される一対のバネ体と、を備える。一対のバネ体は、光学素子をケース体に弾性的に支持する。
【先行技術文献】
【特許文献】
【０００３】
【特許文献１】特開２０１５−８２１０４号公報
【発明の概要】
【発明が解決しようとする課題】
【０００４】
上記特許文献１の構成においては、光学素子毎に２つのバネ体が必要となるため、その構成及び組み立てが複雑となっていた。
【０００５】
本発明は、上記実状を鑑みてなされたものであり、構成及び組み立てをより簡略化できる表示装置を提供することを目的とする。
【課題を解決するための手段】
【０００６】
上記目的を達成するため、本発明に係る表示装置は、光源からの光が透過するレンズ部、及び前記レンズ部の周囲に位置するフランジ部を含み、前記光源からの前記光の光軸方向に沿って並べられる第１及び第２の光学素子と、前記第１及び第２の光学素子を前記光軸方向から挟み込むように並べられ、前記光軸方向から見て前記フランジ部に重なる位置に形成される一対の保持壁を含み、前記光軸方向に直交する方向に向けて開口する開口部が形成されるケースと、前記第１の光学素子の前記フランジ部と前記第２の光学素子の前記フランジ部の間に位置し、前記光軸方向に直交する方向に沿って前記レンズ部を挟み込むように並べられ、前記第１及び第２の光学素子を互いに離間する方向に付勢する一対の板バネ部、及び前記一対の板バネ部と一体で形成され、前記一対の板バネ部を連結する連結部を含む板バネ部材と、を備える。
【発明の効果】
【０００７】
本発明によれば、表示装置において、構成及び組み立てをより簡略化できる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の構成を示す概略図である。
【図３】本発明の一実施形態に係る表示装置の断面図である。
【図４】本発明の一実施形態に係る表示装置におけるケース、第１レンズ、第３レンズ及び光源基板の斜視図である。
【図５】本発明の一実施形態に係る表示装置におけるケース、第１レンズ、第３レンズ及び板バネ部材の斜視図である。
【図６】本発明の一実施形態に係る第２レンズを挿入する際の表示装置の斜視図である。
【図７】本発明の一実施形態に係る板バネ部材の斜視図である。
【発明を実施するための形態】
【０００９】
本発明に係る表示装置の一例であるヘッドアップディスプレイ装置の一実施形態について、図面を参照して説明する。
【００１０】
図１に示すように、ヘッドアップディスプレイ装置１００は、車両２００のダッシュボード内に設置される。ヘッドアップディスプレイ装置１００は、車両２００の投射部材の一例であるフロントガラス２０１に向けて像を表す表示光Ｌを出射する。表示光Ｌはフロントガラス２０１で反射して視認者１（主に車両２００の運転者）に到達する。これにより、ヘッドアップディスプレイ装置１００は、フロントガラス２０１を介して見える実景に重畳するように表示面Ａに虚像Ｖを表示する。
【００１１】
図２に示すように、ヘッドアップディスプレイ装置１００は、表示装置１０と、折り返しミラー部材２０と、凹面鏡３０と、筐体６０と、を備える。
【００１２】
筐体６０は、非透光性樹脂材料又は金属材料で形成されるとともに、中空の略直方体をなす。筐体６０には、ヘッドアップディスプレイ装置１００の各構成が収容される。筐体６０には、フロントガラス２０１に対向する位置に開口部６１ａが形成されている。筐体６０は、開口部６１ａを塞ぐ湾曲板状の窓部５０を備える。この窓部５０は、表示光Ｌが通過するアクリル等の透光性樹脂材料からなる。
【００１３】
図２に示すように、折り返しミラー部材２０は、例えば平面鏡により構成され、表示装置１０が出射した表示光Ｌを凹面鏡３０に向けて反射させる。
【００１４】
凹面鏡３０は、表示装置１０から出射され、折り返しミラー部材２０で反射した表示光Ｌをフロントガラス２０１に向けて拡大させつつ反射させる。
【００１５】
表示装置１０は、像を表す表示光Ｌを折り返しミラー部材２０に向かって出射する。詳しくは、図３に示すように、表示装置１０は、複数の光源７５ａを有する光源基板７５と、光源７５ａからの光を調整するレンズユニット７０と、レンズユニット７０を経た光に基づき表示光Ｌを出射する液晶ユニット８０と、光源７５ａ及び液晶ユニット８０が発する熱を外部へ放出するヒートシンク９０と、を備える。
以下の説明では、光源７５ａからの光の光軸方向がＺ方向と規定され、レンズユニット７０の長手方向がＸ方向と規定され、レンズユニット７０の短手方向がＹ方向と規定される。
【００１６】
レンズユニット７０は、第１レンズ７１と、第２レンズ７２と、第３レンズ７３と、ケース７４と、板バネ部材７６と、を備える。
【００１７】
光源基板７５は、ケース７４における液晶ユニット８０と反対側に位置する。複数の光源７５ａは、それぞれＬＥＤ（Light Emitting Diode）からなり、光源基板７５における第１レンズ７１に対向する面に並べられている。
【００１８】
ケース７４は、遮光性の樹脂又は金属により形成され、第１レンズ７１、第２レンズ７２、第３レンズ７３及び板バネ部材７６を収容する。図４及び図６に示すように、ケース７４は、第１レンズ７１、第２レンズ７２及び第３レンズ７３を挿入可能な開口部７４ａを有する門型をなす。ケース７４は、収容凹部７４ｄと、一対の保持壁７４ｂ，７４ｃと、一対の係止部７４ｆと、一対のＺ位置決め部７４ｅと、一対のＹ位置決め部７４ｇと、一対のビス止め部７４ｈと、を備える。
【００１９】
収容凹部７４ｄは、第１レンズ７１、第２レンズ７２及び第３レンズ７３を開口部７４ａを除く周囲から囲む凹状に形成されている。
【００２０】
図３及び図４に示すように、一対の保持壁７４ｂ，７４ｃは、第１レンズ７１、第２レンズ７２、第３レンズ７３及び板バネ部材７６の板バネ部７６Ｌ，７６Ｒを挟み込むようにＺ方向に沿って並べられる。各保持壁７４ｂ，７４ｃは、Ｚ方向から見て、各レンズ７１，７２，７３のフランジ部７１ｂ，７２ｂ，７３ｂと重なるように収容凹部７４ｄに沿って形成される。
詳しくは、保持壁７４ｂは、収容凹部７４ｄにおける光源基板７５側に位置し、収容凹部７４ｄに沿う立壁状をなす。保持壁７４ｂは、第１レンズ７１のフランジ部７１ｂとの接触を通じて、第１レンズ７１の光源基板７５側への移動を規制する。
保持壁７４ｃは、収容凹部７４ｄにおけるレンズユニット７０側に位置し、収容凹部７４ｄに沿う立壁状をなす。保持壁７４ｃは、第３レンズ７３のフランジ部７３ｂとの接触を通じて、第３レンズ７３のレンズユニット７０側への移動を規制する。
【００２１】
図５及び図６に示すように、係止部７４ｆは、ケース７４のＹ方向に延びる２つの側面７４ｓ１，７４ｓ２に１つずつ設けられる。図６に示すように、各係止部７４ｆは、板バネ部材７６の係止孔７６ｃ２が嵌まることにより、板バネ部材７６をケース７４に固定する。
【００２２】
Ｚ位置決め部７４ｅは、ケース７４の２つの側面７４ｓ１，７４ｓ２に１つずつ設けられる。Ｚ位置決め部７４ｅはＹ方向に延びる角柱状をなす。Ｚ位置決め部７４ｅは、板バネ部材７６のＺ位置決め凹部７６ｃ１に嵌まることにより、板バネ部材７６をＺ方向に位置決めする。
【００２３】
Ｙ位置決め部７４ｇは、ケース７４の２つの外側の側面７４ｓ１，７４ｓ２に１つずつ設けられる。Ｙ位置決め部７４ｇはＺ方向に延びる板状をなす。本例では、Ｙ位置決め部７４ｇは、Ｚ位置決め部７４ｅの上端に連結されている。
【００２４】
図５に示すように、一対のビス止め部７４ｈは、ケース７４の開口部７４ａ側の２つの端部に一つずつ円筒状に形成されている。一対のビス止め部７４ｈは、Ｙ方向に延び、内部には、図示しないビスが螺合するねじ孔が形成されている。
【００２５】
図４に示すように、第１レンズ７１は、複数の光源７５ａからの光を平行化するコンデンサレンズであり、透明光学樹脂又は光学ガラスにより長方形板状に形成される。第１レンズ７１は、マトリクス状に配列される複数の凸レンズであるレンズ部７１ａと、第１レンズ７１の周囲に形成されるフランジ部７１ｂと、を備える。レンズ部７１ａは、第１レンズ７１における第２レンズ７２に対向する面に設けられ、第２レンズ７２に向けて凸状をなしている。第１レンズ７１のフランジ部７１ｂは、ケース７４の保持壁７４ｂに接触した状態で、板バネ部材７６により保持壁７４ｂに向けて押される。図５に示すように、第１レンズ７１のフランジ部７１ｂの開口部７４ａ側の２つの角部には、正方形状に切り欠かれた切り欠き部７１ｂ１が形成されている。
【００２６】
図６に示すように、第２レンズ７２は、微細な半円筒が並べられたレンチキュラレンズであり、透明光学樹脂又は光学ガラスにより長方形板状に形成される。第２レンズ７２は、レンズ部７２ａと、レンズ部７２ａの周囲に形成されるフランジ部７２ｂと、を備える。
レンズ部７２ａは、第２レンズ７２の両面にＸ方向に延びてＹ方向に半円筒状が並ぶように形成される。レンズ部７２ａは、第１レンズ７１を経た光を液晶表示パネル８１に合わせてＹ方向に拡散する機能を有する。
さらに、図３に示すように、第２レンズ７２は、第３レンズ７３のフランジ部７３ｂに接触する脚部７２ｃを備える。脚部７２ｃは、第２レンズ７２のレンズ部７２ａ及び第３レンズ７３間のスペースを保つため、第２レンズ７２のフランジ部７２ｂにおける第３レンズ７３に対向する面に形成されている。脚部７２ｃは、第２レンズ７２のフランジ部７２ｂの全周に沿って形成されていてもよいし、フランジ部７２ｂの４つの角部それぞれに形成されていてもよい。
【００２７】
図４に示すように、第３レンズ７３は、透明光学樹脂または光学ガラスにより長方形板状に形成される。第３レンズ７３は、レンズ部７３ａと、レンズ部７３ａの周囲に形成されるフランジ部７３ｂと、を備える。第３レンズ７３における第２レンズ７２に対向する面は微細な半円筒が並べられたレンチキュラレンズ状に形成され、第３レンズ７３における液晶表示パネル８１に対向する面は液晶表示パネル８１に合わせて光線を拡散するための凹トロイダル状に形成されている。図３に示すように、第３レンズ７３のフランジ部７３ｂは、第２レンズ７２の脚部７２ｃとケース７４の保持壁７４ｃの間に位置し、板バネ部材７６により保持壁７４ｃに向けて押される。
【００２８】
図５及び図７に示すように、板バネ部材７６は、一対の板バネ部７６Ｌ，７６Ｒと、ケース７４の開口部７４ａを塞ぐ蓋部７６ａと、を備える。板バネ部材７６は、金属板をプレス加工することにより一体で形成される。
蓋部７６ａは、ケース７４内に迷光又は塵埃が浸入することを抑制する機能と、一対の板バネ部７６Ｌ，７６Ｒを連結する機能とを有する。詳しくは、蓋部７６ａは、ケース７４の開口部７４ａを塞ぐ長方形板状の本体部７６ｂと、ケース７４の各側面７４ｓ１，７４ｓ２に沿う一対の側壁部７６ｃと、を備える。
【００２９】
本体部７６ｂには、第２レンズ７２をＹ方向から挿入可能な長方形の挿入孔７６ｂ１が形成されている。挿入孔７６ｂ１のサイズは、Ｚ方向に第２レンズ７２の厚さよりも大きく、かつＸ方向に第２レンズ７２の長手方向の長さよりも大きい。挿入孔７６ｂ１の周縁部には、ケース７４内からの第２レンズ７２の脱落を防止する脱落防止部７６ｂ２，７６ｂ３，７６ｂ４が形成されている。脱落防止部７６ｂ２，７６ｂ３，７６ｂ４は、側壁部７６ｃと同一方向、すなわち、ケース７４内に向かって延びている。各脱落防止部７６ｂ２，７６ｂ３，７６ｂ４の先端側は挿入孔７６ｂ１の中心から遠ざかる方向に屈曲されている。脱落防止部７６ｂ２，７６ｂ３は、挿入孔７６ｂ１のＸ方向の両端部に１つずつ設けられている。脱落防止部７６ｂ４は、挿入孔７６ｂ１のＸ方向の中央であって、Ｙ方向における板バネ部７６Ｌ，７６Ｒに近い縁部に位置する。また、挿入孔７６ｂ１における脱落防止部７６ｂ４にＹ方向に対向する縁部には、脱落防止部７６ｂ４に向けて開口する切り欠き凹部７６ｂ５が形成されている。切り欠き凹部７６ｂ５は、第２レンズ７２をケース７４内に挿入しやすいように形成されている。また、本体部７６ｂには、本体部７６ｂのＸ方向の両端に一対のビス止め孔７６ｂ６が形成されている。
【００３０】
図６に示すように、一対の側壁部７６ｃは、本体部７６ｂのＸ方向の両端から本体部７６ｂに直交して延びる。各側壁部７６ｃには、Ｚ位置決め凹部７６ｃ１及び係止孔７６ｃ２が形成されている。係止孔７６ｃ２は、ケース７４の係止部７４ｆが嵌まる長方形の貫通孔である。Ｚ位置決め凹部７６ｃ１は、ケース７４のＺ位置決め部７４ｅが嵌まるように、各側壁部７６ｃの厚さ方向に貫通しつつ、各側壁部７６ｃの先端に向けて開口している。各側壁部７６ｃの先端には、板バネ部材７６のケース７４への組み付けを阻害しないように、Ｘ方向の外側に曲げられた逃げ部７６ｃ３が形成されている。
【００３１】
図３に示すように、板バネ部７６Ｌ，７６Ｒは、第１レンズ７１と第２レンズ７２の間に位置し、第１レンズ７１と第２レンズ７２の間に互いに離れる方向に付勢力を加える。図７に示すように、一対の板バネ部７６Ｌ，７６Ｒは、Ｘ方向に並んでおり、Ｙ方向に沿って延びている。
板バネ部７６Ｌは、第１レンズ７１のＸ方向の一方側のフランジ部７１ｂと第２レンズ７２のＸ方向の一方側のフランジ部７２ｂの間に位置する。板バネ部７６Ｒは、第１レンズ７１のＸ方向の他方側のフランジ部７１ｂと第２レンズ７２のＸ方向の他方側のフランジ部７２ｂの間に位置する。
【００３２】
詳しくは、図７に示すように、板バネ部７６Ｌ，７６Ｒは、波板部７６１と、基端部７６２と、を備える。基端部７６２は、本体部７６ｂにおける光源７５ａに近い端部、すなわち図７の右端からケース７４内及び挿入孔７６ｂ１に向けてＬ字状に延びる。波板部７６１は、基端部７６２の先端からＹ方向に挿入孔７６ｂ１から離れる方向に延びる。波板部７６１は、Ｚ方向に振動し、Ｙ方向に延びる正弦波板状をなす。図３に示すように、波板部７６１においては、３つの頂点のうち２つの頂点が第２レンズ７２のフランジ部７２ｂに接触し、３つの頂点のうち１つの頂点が第１レンズ７１のフランジ部７１ｂに接触する。
また、波板部７６１の先端は第１レンズ７１に向かっている。これにより、第２レンズ７２の挿入時に、第２レンズ７２が波板部７６１の先端に接触することが抑制され、第２レンズ７２の挿入を円滑に行うことができる。
【００３３】
図３に示すように、液晶ユニット８０は、液晶表示パネル８１と、カバーガラス８２と、液晶ケース８３と、を備える。液晶表示パネル８１は、例えば、ＴＦＴ（Thin Film Transistor）液晶を備える。液晶表示パネル８１の各画素が画像に応じて透過状態及び不透過状態の間で切り替えられる。これにより、液晶表示パネル８１は、第３レンズ７３を経た光を受けて、画像を表す表示光Ｌを射出する。
カバーガラス８２は、光透過性の樹脂又はガラスにより板状に形成され、液晶表示パネル８１を経た光を透過する位置に設けられる。
液晶ケース８３は、遮光性の樹脂又は金属により表示光Ｌの光軸方向に沿う長方形の筒状をなす。液晶ケース８３には、液晶表示パネル８１及びカバーガラス８２が収容される。
【００３４】
次に、レンズユニット７０の組み立て方法について説明する。この組み立て作業は、例えば、作業者によって行われる。
まず、図４及び図５に示すように、第１レンズ７１及び第３レンズ７３がケース７４の開口部７４ａからケース７４の収容凹部７４ｄに挿入される。
次に、図５及び図６に示すように、板バネ部材７６がケース７４に装着される。このとき、ケース７４の開口部７４ａは蓋部７６ａにより塞がれ、板バネ部材７６の一対の側壁部７６ｃはケース７４の側面７４ｓ１，７４ｓ２に沿う。
このとき、第１レンズ７１及び第３レンズ７３間に板バネ部７６Ｌ，７６Ｒが進入する。なお、この時点では、ケース７４内には第２レンズ７２が収容されていないため、第１レンズ７１及び第３レンズ７３間の隙間が大きく、その隙間に板バネ部７６Ｌ，７６Ｒを挿入しやすい。
また、板バネ部材７６の一対の係止孔７６ｃ２内にはそれぞれケース７４の側面７４ｓ１，７４ｓ２の係止部７４ｆが嵌合する。これにより、板バネ部材７６がケース７４から外れることが抑制される。
さらに、板バネ部材７６の一対のＺ位置決め凹部７６ｃ１内にはそれぞれケース７４の側面７４ｓ１，７４ｓ２のＺ位置決め部７４ｅが嵌合する。これにより、板バネ部材７６のＺ方向におけるケース７４に対する位置が決まる。
また、板バネ部材７６の一対の側壁部７６ｃの先端は、Ｙ位置決め部７４ｇに接触する。これにより、板バネ部材７６のＹ方向におけるケース７４に対する位置が決まる。
また、板バネ部材７６がケース７４に装着されたときに、ビス止め孔７６ｂ６はケース７４のビス止め部７４ｈのねじ孔に連通する。ビス止め孔７６ｂ６とビス止め部７４ｈのねじ孔にビスを螺合することにより、板バネ部材７６をケース７４に固定することができる。
なお、板バネ部材７６がケース７４に装着された時点では、板バネ部７６Ｌ，７６Ｒと第３レンズ７３の間に第２レンズ７２が介在していない。このため、第３レンズ７３は、板バネ部材７６によりケース７４の保持壁７４ｃに向けて押し付けられておらず、第３レンズ７３はケース７４に固定されていない。
【００３５】
次に、図６に示すように、第２レンズ７２が挿入孔７６ｂ１を経てケース７４内に挿入される。第２レンズ７２がケース７４内に挿入される際、脱落防止部７６ｂ２，７６ｂ３，７６ｂ４が挿入孔７６ｂ１の外側へ弾性変形する。第２レンズ７２のケース７４内への挿入が完了すると、第２レンズ７２における挿入孔７６ｂ１側に脱落防止部７６ｂ２，７６ｂ３，７６ｂ４が位置する。このため、脱落防止部７６ｂ２，７６ｂ３，７６ｂ４により第２レンズ７２が挿入孔７６ｂ１側に移動することが規制される。
また、第２レンズ７２がケース７４内に挿入される際、第１レンズ７１と第２レンズ７２の間で板バネ部７６Ｌ，７６Ｒはその振幅方向、すなわちＺ方向に圧縮される。第２レンズ７２の挿入時、第２レンズ７２は、第１レンズ７１と板バネ部７６Ｌ，７６Ｒに対して摺動する。ここで、第１レンズ７１はレンズであるため他の部品に比べて表面粗さが小さく、また、板バネ部７６Ｌ，７６Ｒはその頂点付近の曲面に第２レンズ７２が接触するため、第２レンズ７２と第１レンズ７１及び板バネ部７６Ｌ，７６Ｒとの間で作用する摩擦力を低減することができる。よって、第２レンズ７２を円滑に挿入可能となるとともに、摩擦により第２レンズ７２に傷が付くことが抑制される。
【００３６】
図３に示すように、第２レンズ７２の挿入が完了すると、第２レンズ７２のフランジ部７２ｂにおける第１レンズ７１側の面に板バネ部７６Ｌ，７６Ｒの２つの頂点が接触し、第１レンズ７１のフランジ部７１ｂにおける第２レンズ７２側の面に板バネ部７６Ｌ，７６Ｒの１つの頂点が接触する。このとき、板バネ部７６Ｌ，７６Ｒにより、第１レンズ７１と第２レンズ７２及び第３レンズ７３とを互いに離間する方向に付勢され、第１レンズ７１のフランジ部７１ｂは保持壁７４ｂに押し付けられ、第３レンズ７３のフランジ部７３ｂは保持壁７４ｃに押し付けられる。これにより、第１レンズ７１、第２レンズ７２及び第３レンズ７３は、ケース７４内に振動が抑制された状態で固定される。また、第２レンズ７２の挿入が完了したとき、図７に示す板バネ部材７６の基端部７６２は、図５に示す第１レンズ７１のフランジ部７１ｂの切り欠き部７１ｂ１内に位置する。これにより、蓋部７６ａによりケース７４の開口部７４ａを確実に閉じることができる。
以上で、レンズユニット７０の組み立て方法の説明を終了する。
【００３７】
（効果）
以上、説明した一実施形態によれば、以下の効果を奏する。
【００３８】
（１）表示装置１０は、光源７５ａからの光が透過するレンズ部７１ａ，７２ａ及びレンズ部７１ａ，７２ａの周囲に位置するフランジ部７１ｂ，７２ｂを含み、光源７５ａからの光の光軸方向に一致するＺ方向に沿って並べられる第１の光学素子の一例である第１レンズ７１及び第２の光学素子の一例である第２レンズ７２と、第１レンズ７１及び第２レンズ７２をＺ方向から挟み込むように並べられ、Ｚ方向から見てフランジ部７１ｂ，７２ｂに重なる位置に形成される一対の保持壁７４ｂ，７４ｃを含み、Ｚ方向に直交するＹ方向に向けて開口する開口部７４ａが形成されるケース７４と、第１レンズ７１のフランジ部７１ｂと第２レンズ７２のフランジ部７２ｂの間に位置し、光軸方向に直交するＸ方向に沿ってレンズ部７１ａ，７２ａを挟み込むように並べられ、第１レンズ７１及び第２レンズ７２を互いに離間する方向に付勢する一対の板バネ部７６Ｌ，７６Ｒ、及び一対の板バネ部７６Ｌ，７６Ｒと一体で形成され、一対の板バネ部７６Ｌ，７６Ｒを連結する連結部の一例である蓋部７６ａを含む板バネ部材７６と、を備える。
この構成によれば、板バネ部材７６においては、蓋部７６ａと一対の板バネ部７６Ｌ，７６Ｒが一体で構成される。よって、複数のレンズを固定するために、１つの板バネ部材７６で済む。このため、表示装置１０の構成をより簡略化できる。また、複数のレンズを固定するため、複数のレンズ毎にバネ体を取り付ける必要がないため、表示装置１０の組み立てを簡略化できる。
【００３９】
（２）蓋部７６ａは、ケース７４の開口部７４ａを塞ぐ。
この構成によれば、蓋部７６ａにより、ケース７４内に迷光又は塵埃が進入することが抑制される。よって、ケース７４内における光に悪影響を及ぼすことが抑制され、
これにより虚像Ｖの表示品位が低下することが抑制される。
【００４０】
（３）表示装置１０は、光源７５ａからの光が透過するレンズ部７３ａ、及びレンズ部７３ａの周囲に位置するフランジ部７３ｂを含み、一対の保持壁７４ｂ，７４ｃの間であって第２レンズ７２における板バネ部７６Ｌ，７６Ｒと反対側に隣接して位置する第３の光学素子の一例である第３レンズ７３を備える。蓋部７６ａには、第２レンズ７２に対向する位置に第２レンズ７２がＹ方向に通過可能な挿入孔７６ｂ１が形成されている。
この構成によれば、まず、ケース７４内に第１レンズ７１及び第３レンズ７３が収容される。そして、ケース７４に板バネ部材７６が装着される。このとき、ケース７４内には第２レンズ７２が収容されていないため、第１レンズ７１及び第３レンズ７３間の隙間が大きく、その隙間に板バネ部７６Ｌ，７６Ｒを挿入しやすく、挿入時に板バネ部７６Ｌ，７６Ｒが第１レンズ７１又は第３レンズ７３に傷を付けることが抑制される。最後に、蓋部７６ａの挿入孔７６ｂ１を介して第２レンズ７２がケース７４内の板バネ部材７６と第３レンズ７３の間に挿入される。これにより、板バネ部７６Ｌ，７６Ｒにより、第１レンズ７１と第２レンズ７２及び第３レンズ７３とを互いに離間する方向に付勢される。この結果、第１レンズ７１のフランジ部７１ｂは保持壁７４ｂに押し付けられ、第３レンズ７３のフランジ部７３ｂは保持壁７４ｃに押し付けられる。よって、第１レンズ７１、第２レンズ７２及び第３レンズ７３は、ケース７４内に振動が抑制された状態で固定される。
【００４１】
（４）一対の板バネ部７６Ｌ，７６Ｒは、それぞれ、光軸方向に直交するＹ方向に延びる正弦波状に形成される。
この構成によれば、板バネ部７６Ｌ，７６Ｒにより第１レンズ７１、第２レンズ７２及び第３レンズ７３を安定的に付勢することができる。
【００４２】
（変形例）
なお、上記実施形態は、これを適宜変更した以下の形態にて実施することができる。
【００４３】
上記実施形態においては、表示装置１０は、第１レンズ７１、第２レンズ７２及び第３レンズ７３を備えていたが、第１レンズ７１、第２レンズ７２及び第３レンズ７３のうち何れか一つを省略してもよい。この場合、一対の保持壁７４ｂ，７４ｃ間の距離が省略されたレンズの厚さ分だけ小さく設定される。
また、第１レンズ７１、第２レンズ７２及び第３レンズ７３のレンズの種類、形状、配置は適宜変更可能である。また、光学素子であれば、レンズに限らず、拡散板等であってもよい。
【００４４】
上記実施形態においては、挿入孔７６ｂ１は、蓋部７６ａにおける第２レンズ７２を挿入可能な位置に形成されていたが、これに限らず、蓋部７６ａにおける第１レンズ７１又は第３レンズ７３を挿入可能な位置に形成されていてもよい。
また、挿入孔７６ｂ１は省略されてもよい。
【００４５】
上記実施形態においては、板バネ部材７６は、ケース７４の開口部７４ａを塞ぐ蓋部７６ａを備えていたが、蓋部７６ａに代えて、ケース７４の開口部７４ａを塞がずに板バネ部７６Ｌ，７６Ｒを連結する連結部を備えていてもよい。
【００４６】
上記実施形態においては、板バネ部７６Ｌ，７６Ｒは正弦波状に延びていたが、第１レンズ７１及び第２レンズ７２を互いに離間する方向に付勢することができれば、板バネ部７６Ｌ，７６Ｒの形状は適宜変更可能である。
【００４７】
上記実施形態においては、表示装置１０はヘッドアップディスプレイ装置１００に適用されていたが、ヘッドアップディスプレイ装置１００以外に適用されてもよい。例えば、表示装置１０は、直視型の表示装置であってもよい。
【符号の説明】
【００４８】
１０  表示装置
２０  折り返しミラー部材
３０  凹面鏡
５０  窓部
６０  筐体
６１ａ，７４ａ  開口部
７０  レンズユニット
７１  第１レンズ
７１ａ，７２ａ，７３ａ  レンズ部
７１ｂ，７２ｂ，７３ｂ  フランジ部
７１ｂ１  切り欠き部
７２  第２レンズ
７２ｃ  脚部
７３  第３レンズ
７４  ケース
７４ｂ，７４ｃ  保持壁
７４ｄ  収容凹部
７４ｅ  Ｚ位置決め部
７４ｆ  係止部
７４ｇ  Ｙ位置決め部
７４ｓ１，７４ｓ２  側面
７５  光源基板
７５ａ  光源
７６  板バネ部材
７６Ｌ，７６Ｒ  板バネ部
７６ａ  蓋部
７６ｂ  本体部
７６ｃ  側壁部
７６ｂ１  挿入孔
７６ｃ１  Ｚ位置決め凹部
７６ｂ２，７６ｂ３，７６ｂ４  脱落防止部
７６ｃ２  係止孔
７６ｃ３  逃げ部
７６ｂ５  切り欠き凹部
８０  液晶ユニット
８１  液晶表示パネル
８２  カバーガラス
８３  液晶ケース
１００  ヘッドアップディスプレイ装置
２００  車両
２０１  フロントガラス
７６１  波板部
７６２  基端部
【図１】
2019174497.tif 000003
【図２】
2019174497.tif 000004
【図３】
2019174497.tif 000005
【図４】
2019174497.tif 000006
【図５】
2019174497.tif 000007
【図６】
2019174497.tif 000008
【図７】
2019174497.tif 000009